(57)【特許請求の範囲】
【請求項１】
バーナと、該バーナの燃焼ガス中の顕熱を吸収するメインの給湯熱交換器と、該メインの給湯熱交換器よりも前記燃焼ガスの流れの下流側に配置されて排気潜熱を回収する潜熱回収用給湯熱交換器とが設けられた給湯側回路を有し、浴槽に接続される追い焚き循環路を有して該追い焚き循環路は接続路を介して前記給湯側回路の出湯側に連通されており、前記潜熱回収用給湯熱交換器で発生するドレンを回収するドレン回収手段と、該ドレン回収手段により回収したドレンを貯留するドレン貯留手段と、該ドレン貯留手段により貯留したドレンを前記追い焚き循環路側に導くドレン導出路を有し、前記追い焚き循環路には該追い焚き循環路側に導かれたドレンを該追い焚き循環路から分岐して浴室に排水するドレン排水路が接続されており、前記ドレンを前記ドレン導出路と前記追い焚き循環路と前記ドレン排水路とを介して浴室に排出するドレン排水機能と、該ドレン排水機能によるドレン排水後に前記給湯側回路側から前記接続路を介して前記追い焚き循環路に通される水によって該追い焚き循環路のうちのドレンの通水路を洗浄するドレン洗浄機能を有し、前記追い焚き循環路を通して予め定められる設定水位または設定水量までの湯を浴槽に湯張りする自動湯張り動作の開始時に浴槽内に残水があるか否かを判断する残水有無判断手段と、該残水有無判断手段によって前記自動湯張り動作の開始時に残水がないと判断されたときに前記ドレン排水機能の動作を行うときには、該ドレン排水機能によるドレン排水後に前記追い焚き循環路に加熱されていない水を通して前記ドレン洗浄機能の動作を行い、前記残水有無判断手段によって前記自動湯張り動作の開始時に浴槽内に残水があると判断されたときと前記自動湯張り動作の開始時以外のタイミングでドレン排水機能の動作を行うときには、該ドレン排水機能によるドレン排水後に前記給湯側回路で加熱された水を前記追い焚き循環路に通して前記ドレン洗浄機能の動作を行うようにするドレン洗浄水選択制御手段を有することを特徴とする風呂給湯装置。
【請求項２】
追い焚き循環路を通して湯水を浴槽に注水する注水動作時に前記追い焚き循環路に通す水の流量よりも、ドレン洗浄機能の動作時に追い焚き循環路に通す水の流量を小さい流量に変える流量可変制御手段を有することを特徴とする請求項１記載の風呂給湯装置。
【発明の詳細な説明】
【技術分野】
【０００１】
本発明は、潜熱回収型の給湯熱交換器を備えた風呂給湯装置に関するものである。
【背景技術】
【０００２】
従来、浴槽に接続される追い焚き循環路と、給湯熱交換器を備えた給湯側回路とを備えた風呂給湯装置において、給湯側回路に潜熱回収用給湯熱交換器を設けた装置は高い熱効率を達成できるため、広く用いられている。ただし、潜熱回収用給湯熱交換器を設けて風呂給湯装置を形成すると、燃焼ガス中の窒素酸化物（ＮＯｘ）を含む水蒸気等が潜熱回収用熱交換器を通る水によって冷やされて結露し、ドレン（ドレン水）が発生するため、そのドレンを回収して風呂給湯装置の外部に排出する必要がある。そこで、回収されたドレンが所定量貯留されたことを検出手段により検出し、ドレンを配水管側に送水して排水（排出）したり、追い焚き循環路に導いて、追い焚き循環路から浴槽や浴室に排水したりする構成が提案されている（例えば、特許文献１、参照）。
【先行技術文献】
【特許文献】
【０００３】
【特許文献１】特許第３１５３３６１号公報
【発明の概要】
【発明が解決しようとする課題】
【０００４】
ところで、追い焚き循環路は浴槽湯水を循環させる循環路であるため、追い焚き循環路にドレンを導いて排水する構成においては、そのドレンが浴槽湯水に混入してしまうと、ドレンに含まれるホルムアルデヒドが浴槽湯水に入浴する人の体に悪影響を及ぼす可能性があり、ドレンの排水後、追い焚き循環路に水を流してドレンの通水路を洗浄するドレン洗浄機能を設けることが必要となる。
【０００５】
しかしながら、このドレン洗浄の際、給湯側回路から追い焚き循環路に加熱されていない水を通して洗浄すると、その水が給湯側回路の給湯熱交換器内に残る（給湯熱交換器内が冷水で満たされた状態となる）ため、その直後にシャワーを浴びようとすると冷水が出てしまい、利用者が不快な思いをするといった問題が生じる。かといって、加熱された水を通して前記ドレン洗浄を行うには、加熱するための熱エネルギーが必要となるが、この熱は利用者が入浴や給湯等で利用できるわけではないので無駄である。また、ドレン洗浄は、できれば利用者が気づかない間に行うことが好ましいが、湯張りや足し湯などの注水動作時と同様に水を通して行うと、その音がうるさく、利用者が不快に思うといった問題も生じる。
【０００６】
本発明は、上記課題を解決するためになされたものであり、その目的は、熱エネルギーの無駄を少なくでき、かつ、追い焚き循環路を通してのドレン排水後のドレン洗浄機能の動作時や、ドレン洗浄動作後のシャワー利用時に、利用者に不快感を与えないようにできる風呂給湯装置を提供することにある。
【課題を解決するための手段】
【０００７】
本発明は上記目的を達成するために、次の構成をもって課題を解決する手段としている。すなわち、第１の発明は、バーナと、該バーナの燃焼ガス中の顕熱を吸収するメインの給湯熱交換器と、該メインの給湯熱交換器よりも前記燃焼ガスの流れの下流側に配置されて排気潜熱を回収する潜熱回収用給湯熱交換器とが設けられた給湯側回路を有し、浴槽に接続される追い焚き循環路を有して該追い焚き循環路は接続路を介して前記給湯側回路の出湯側に連通されており、前記潜熱回収用給湯熱交換器で発生するドレンを回収するドレン回収手段と、該ドレン回収手段により回収したドレンを貯留するドレン貯留手段と、該ドレン貯留手段により貯留したドレンを前記追い焚き循環路側に導くドレン導出路を有し、前記追い焚き循環路には該追い焚き循環路側に導かれたドレンを該追い焚き循環路から分岐して浴室に排水するドレン排水路が接続されており、前記ドレンを前記ドレン導出路と前記追い焚き循環路と前記ドレン排水路とを介して浴室に排出するドレン排水機能と、該ドレン排水機能によるドレン排水後に前記給湯側回路側から前記接続路を介して前記追い焚き循環路に通される水によって該追い焚き循環路のうちのドレンの通水路を洗浄するドレン洗浄機能を有し、前記追い焚き循環路を通して予め定められる設定水位または設定水量までの湯を浴槽に湯張りする自動湯張り動作の開始時に浴槽内に残水があるか否かを判断する残水有無判断手段と、該残水有無判断手段によって前記自動湯張り動作の開始時に残水がないと判断されたときに前記ドレン排水機能の動作を行うときには、該ドレン排水機能によるドレン排水後に前記追い焚き循環路に加熱されていない水を通して前記ドレン洗浄機能の動作を行い、前記残水有無判断手段によって前記自動湯張り動作の開始時に浴槽内に残水があると判断されたときと前記自動湯張り動作の開始時以外のタイミングでドレン排水機能の動作を行うときには、該ドレン排水機能によるドレン排水後に前記給湯側回路で加熱された水を前記追い焚き循環路に通して前記ドレン洗浄機能の動作を行うようにするドレン洗浄水選択制御手段を有する構成をもって課題を解決する手段としている。
【０００８】
また、第２の発明は、前記第１の発明の構成に加え、前記追い焚き循環路を通して湯水を浴槽に注水する注水動作時に前記追い焚き循環路に通す水の流量よりも、ドレン洗浄機能の動作時に追い焚き循環路に通す水の流量を小さい流量に変える流量可変制御手段を有することを特徴とする。
【発明の効果】
【０００９】
本発明は、潜熱回収用給湯熱交換器で発生するドレンを、ドレン導出路と追い焚き循環路とドレン排水路とを介して浴室に排出するドレン排水機能と、該ドレン排水機能によるドレン排水後に、給湯側回路の側から接続路を介して追い焚き循環路に通される水によって該追い焚き循環路のうちのドレンの通水路を洗浄するドレン洗浄機能を有しており、追い焚き循環路を通して予め定められる設定水位までの湯（または設定水量の湯）を浴槽に湯張りする自動湯張り動作の開始時に浴槽内に残水がないと判断されたときにドレン排水機能の動作を行うときには、該ドレン排水機能によるドレン排水後に追い焚き循環路に加熱されていない水を通してドレン洗浄機能の動作を行う。したがって、このドレン洗浄機能の動作時には、水を加熱するための熱エネルギーは不要となり、エネルギーの無駄を省くことができる。
【００１０】
また、一般に、この自動湯張り動作開始時には、利用者がシャワーを浴びる可能性は非常に低いので、ドレン洗浄機能の動作時に加熱されていない水が給湯側回路の給湯熱交換器内に通されても、その直後に利用者がシャワーを浴びて冷水を浴びてしまうといった可能性は非常に低い。また、自動湯張り動作開始時にドレン洗浄機能の動作を行う場合、そのドレン洗浄動作後には自動湯張り動作が行われるので、浴槽内には設定温度の湯が設定水位まで張られることとなり、自動湯張り動作終了時には、給湯側回路の給湯熱交換器内は加熱された水で満たされる。そのため、利用者が自動湯張り動作終了後にシャワーを浴びれば、加熱された温かい水（湯）が出るため、利用者は快くシャワー利用ができる。
【００１１】
また、本発明では、前記自動湯張り動作の開始時に残水があると判断されたときと、前記自動湯張り動作の開始時以外のタイミングでドレン排水機能の動作を行うときには、該ドレン排水機能の動作後に前記給湯側回路で加熱された水を前記追い焚き循環路に通して前記ドレン洗浄機能の動作を行うようにするので、これらのタイミングで、例えば利用者の入浴中にドレン排水機能の動作が開始された場合に、その直後に利用者がシャワーを利用しても、加熱された温かい水（湯）が出るようなる。そのため、利用者が快くシャワー利用できるようにすることができる。
【００１２】
なお、風呂給湯装置において、潜熱回収用給湯熱交換器の加熱が最も多く行われるのは、通常、湯張り動作時である。そこで、なるべく、自動湯張り動作開始時に浴槽に残水が無い状態で湯張りが開始されるときに、ドレン排水機能の動作とそれに続くドレン洗浄機能の動作を行うようすることにより、ドレンタンク内のドレンの排水と洗浄とを的確に行うことができるし、このときのドレン洗浄機能の動作を加熱していない水を用いて行うことによって、加熱した水を用いてドレン洗浄機能の動作を行う機会を少なくし、エネルギーの無駄を省くことができる。
【００１３】
また、流量可変制御手段を設けて、追い焚き循環路を通して湯水を浴槽に注水する注水動作時に前記追い焚き循環路に通す水の流量よりも、ドレン洗浄機能の動作時に追い焚き循環路に通す水の流量を小さい流量に変えることにより、ドレン洗浄機能の動作時の排水音を小さくできるし、追い焚き循環路内を、その往管と戻り管の両方を用いずに片側の管のみを用いて通水しても、水が通る際に追い焚き循環路にかかる水圧を小さくでき、例えば追い焚き循環通路に設けられる循環ポンプに過大な圧力がかかるといったことを防ぐことができる。
【図面の簡単な説明】
【００１４】
【図１】本発明に係る風呂給湯装置の一実施例の制御構成を示すブロック図である。
【図２】実施例の風呂給湯装置のシステム構成を模式的に示す説明図である。
【図３】実施例の風呂給湯装置におけるドレン排水機能の動作時の排水経路を説明するためのシステム図である。
【図４】実施例の風呂給湯装置におけるドレン洗浄機能の動作時の通水経路を説明するためのシステム図である。
【図５】実施例の風呂給湯装置における湯張り動作時の通水経路を説明するためのシステム図である。
【図６】実施例の風呂給湯装置における追い焚き動作時の通水経路を説明するためのシステム図である。
【発明を実施するための形態】
【００１５】
以下、本発明の実施の形態を図面に基づき説明する。
【実施例】
【００１６】
図２には、本発明に係る風呂給湯装置の一実施例のシステム構成が模式的に示されている。同図において、器具ケース６０内には燃焼室２が設けられ、燃焼室２内には給湯側のバーナ１（１ａ，１ｂ，１ｃ）と、浴槽１４内の湯水の追い焚き側のバーナ７が配置されている。これらのバーナ１，７には、それぞれのバーナ１，７に燃料を供給するガス管５５が接続されており、このガス管５５にはバーナ１，７への燃料供給・停止を制御するための開閉弁５１，５２，５３と、バーナ１への供給燃料量を弁開度でもって制御することができる比例弁５４とが介設されている。
【００１７】
また、バーナ１，７の下方側には、これらのバーナ１，７の燃焼の給排気を行う燃焼ファン５が設けられており、燃焼ファン５の回転によって、吸気口（図示せず）を介して外部より吸気する空気をバーナ１，７に送り、この空気と、ガス管５５を通って供給されるガスとによってバーナ燃焼を行う。バーナ燃焼により生じた燃焼ガスは、燃焼室２を通って排気口（図示せず）から排気される。
【００１８】
給湯側のバーナ１の上側には、バーナ１の燃焼ガス中の顕熱を回収するメインの給湯熱交換器（一次給湯熱交換器）４と、このメインの給湯熱交換器４よりも前記燃焼ガスの流れの下流側に設けられて、燃焼ガスの顕熱および潜熱を回収する潜熱回収用給湯熱交換器（二次給湯熱交換器）６とが設けられている。メインの給湯熱交換器４は、複数の板状のフィン３を有して形成されている。
【００１９】
潜熱回収用給湯熱交換器６の入り口側には、給水源から水を導くための給水管８が接続されており、潜熱回収用給湯熱交換器６の出口側にメインの給湯熱交換器４の入り口側が接続されている。また、メインの給湯熱交換器４の出口側には給湯管９が接続されており、メインの給湯熱交換器４と潜熱回収用給湯熱交換器６とを備えた給湯側回路が形成されている。この給湯側回路は、潜熱回収用給湯熱交換器６を通る水を潜熱回収の熱で予備加熱し、その予備加熱した水をメインの給湯熱交換器４の入水口に供給し、該メインの給湯熱交換器４で加熱した湯を送水して給湯路９から給湯先に給湯する給湯機能を有しており、潜熱回収用給湯熱交換器６を設けることによって効率の良い加熱ができる。
【００２０】
なお、給水管８には、該給水管８から供給されて潜熱回収用給湯熱交換器６側へ流れ込む水の流量を検出する流量センサ（フローセンサ）１０と、水量制御弁１１，５６と、潜熱回収用給湯熱交換器６へ流れ込む水の入水温度を検出する入水サーミスタ（図示せず）とが設けられている。また、給湯管９には流れ出る湯の温度を検出することができる出湯サーミスタ（図示せず）が設けられており、給湯管９と給水管８とは、管路１２と水量制御弁１１とを介して接続されている。
【００２１】
また、前記追い焚き側のバーナ７の上側には、浴槽湯水の追い焚きを行う追い焚き熱交換器１３が設けられおり、この追い焚き熱交換器１３は浴槽１４に接続される追い焚き循環路１５に設けられている。なお、この例では、追い焚き熱交換器１３も、バーナ７の燃焼ガスの顕熱を回収するメインの熱交換器１３ａと燃焼ガス中の顕熱および潜熱を回収する潜熱回収用熱交換器１３ｂとを有しており、メインの熱交換器１３ａは複数の板状のフィン３を有して形成されている。
【００２２】
追い焚き循環路１５は、浴槽１４へと続く往管１６（１６ａ，１６ｂ）と、浴槽１４からの戻り管１７と、管路１８，１９，２０，２１を有して形成されている。なお、これらの管路１８，１９，２０，２１および往管１６や戻り管１７の器具ケース６０内側は例えば金属管やゴム管によって形成され、器具ケース６０から外部の浴槽内１４に至る管路は、例えば架橋ポリエチレン管により形成されている。管路２１の一端側は追い焚き熱交換器１３に接続されており、管路２１の他端側は浴槽湯水を循環させる循環ポンプ２３の吐出口側に接続されている。管路２１には、浴槽１４の水位を水圧によって検出する圧力センサの水位センサ２５と、管路２１を水が流れたことを検出したときにオンとなる流水スイッチ２６と、浴槽湯水の温度を検出する風呂温度センサ（図示せず）がそれぞれ設けられている。
【００２３】
循環ポンプ２３の吸込口側には管路２０が接続されており、管路２０の他端側には、四方弁により形成された四方切替弁２２が接続されている。この四方切替弁２２には、追い焚き循環路１５の管路１８，１９の一端側と管路２８の一端側も接続されている。管路１８，１９の他端側には戻り管１７が接続されており、管路２８の他端側には、ドレン回路切替弁３０を介し、接続路としての注湯路２７の一端側が接続されている。注湯路２７には注湯電磁弁２９が設けられており、注湯路２７の他端側は前記給湯路９に接続されている。この構成により、前記給湯側回路の出湯側に注湯路２７を介して追い焚き循環路１５が接続されている。
【００２４】
前記潜熱回収用給湯熱交換器６の下側には、該潜熱回収用給湯熱交換器６で発生するドレンを回収するドレン回収手段３１と、該ドレン回収手段３１により回収したドレンを貯留するドレン貯留手段としてのドレンタンク３２とが設けられている。ドレン回収手段３１とドレンタンク３２とはドレン管３３を介して接続されており、ドレンタンク３２には、ドレンタンク３２内に貯留されるドレンの水位を検出するドレン水位検出電極３４が設けられている。なお、ドレンは、燃焼ガス中の窒素酸化物（ＮＯｘ）等を含むため、酸性であるので、ドレンタンク３１には、ドレン排水（ドレン）を中和するための、例えば炭酸カルシウム等のドレン中和手段３５が設けられている。
【００２５】
ドレンタンク３２の下部側には、ドレンタンク３２により貯留したドレンを追い焚き循環路１５側に導くドレン導出路３６が接続され、ドレン導出路３６には逆止弁３７が設けられている。ドレン導出路３６は前記ドレン回路切替弁３０を介して前記管路２８と注湯路２７とに接続されている。また、ドレンタンク３２には管路５９の一端側が接続されており、管路５９の他端側は排水口に接続されている。管路５９は、万が一、ドレンがオーバーフローした際に、そのドレンを排水口に導くための管路である。
【００２６】
前記追い焚き循環路１５の往管１６には、ドレン排水切替ユニット３７が介設されており、ドレン排水切替ユニット３７には、追い焚き循環路１５側に導かれたドレンを該追い焚き循環路１５から分岐して浴室に排水するドレン排水路３８が接続されている。ドレン排水切替ユニット３７内には、ドレン排水路３８と往管１６ａ，１６ｂとの接続部にドレン排水切替弁３９が設けられている。
【００２７】
本実施例の風呂給湯装置において、台所等への給湯機能、浴槽１４への湯張り、足し湯、足し水、浴槽湯水の追い焚き、ドレン排水機能、ドレン洗浄機能等の動作が予め与えられたシーケンスプログラムにしたがって行われるようになっている。図１には、その制御構成が示されており、制御装置４０内に、ドレン排水洗浄制御手段４１、流量可変制御手段４４、残水有無判断手段４５、ドレン洗浄水選択制御手段４６、通水動作判断手段４７、注湯水・追い焚き制御手段４２が設けられている。
【００２８】
なお、制御装置４０には、図示されていない給湯機能動作の制御手段が設けられており、まず、この給湯機能動作の制御手段の制御に基づく給湯機能動作例について簡単に説明する。給湯動作は、例えば台所や洗面所等の給湯栓（図示せず）を開くことにより開始されるものであり、図２に示したフローセンサ１０により給水管８を通水する最低作動流量以上の流量を検出すると、給湯機能動作の制御手段が給湯側のバーナ１を燃焼させ、給湯熱交換器４，６（メインの給湯熱交換器４および潜熱回収用給湯熱交換器６）を通る水を加熱して湯を作成し、その湯を給湯管９を通して、図２の矢印のように出湯し、給湯先へ供給する。
【００２９】
この給湯機能の動作では、前記給湯機能動作の制御手段は前記入水温度センサにより検出される入水温と、フローセンサ１０により検出される給湯量と、前記給湯温度センサにより検出される給湯温（出湯温）との検出情報に基づき、給湯設定温度となるようにガス管５５から供給されるガス量を比例弁５４の開弁量によって制御する。給湯動作は給湯先の給湯栓が閉止されることによって終了する。つまり、給湯栓の閉止によってフローセンサ１０が通水の停止を検出したときに、制御装置は給湯側のバーナ１へのガス供給を遮断し、給湯側のバーナ１の燃焼を停止する。
【００３０】
注湯水・追い焚き制御手段４２は、自動湯張り機能の動作、足し水機能の動作、追い焚き単独動作の制御を行うものであり、自動湯張り機能の動作は、追い焚き循環路１５を通して予め定められる設定水量の湯を浴槽１４に湯張りする湯張り動作に加え、保温動作、保水動作を含む。なお、自動湯張り動作は前記湯張り動作のみとすることもできる。自動湯張り機能の動作は、利用者等がリモコン装置５０の自動スイッチをオンすることにより開始するものであり、図１に示すように、リモコン装置５０から自動スイッチのオン信号が注湯水・追い焚き制御手段４２に加えられると、注湯水・追い焚き制御手段４２は、自動湯張り開始信号を残水有無判断手段４５に加える。
【００３１】
残水有無判断手段４５は、注湯水・追い焚き制御手段４２による自動湯張りの開始信号を受けて自動湯張り動作の開始時に循環ポンプ２３を駆動し、浴槽１４内に残水があるか否かを、水位センサ２５の検出水位や流水スイッチ２６のオン信号の有無に基づいて判断し、判断結果を注湯水・追い焚き制御手段４２とドレン洗浄水選択制御手段４６とに加える。
【００３２】
注湯水・追い焚き制御手段４２は、残水有無判断手段４５による判断結果を受けて、浴槽１４内に残水があるか無いかに応じて異なるシーケンスプログラムに従い、浴槽１４内に湯張りを行う。なお、この湯張り動作用として、様々なシーケンスプログラムを適用することができるものであり、その詳細説明は省略するが、いずれの場合においても、注湯水・追い焚き制御手段４２は、注湯電磁弁２９を開き、前記給湯機能の動作と同様に、バーナ１の燃焼加熱により給湯熱交換器４，６を通る水を湯として、その湯を給湯管９から注湯路２７に通し、追い焚き循環路１５を通して浴槽１４へ落とし込む動作を行う。
【００３３】
図５には、この湯張り動作時に湯水が通る領域が斜線部分により示されており、湯水の流れが矢印により示されている。図５に示されるように、湯張り動作時にはドレン回路切替弁３０を介して注湯路２７と管路２８とが接続され、四方切替弁２２を介し、管路２８と管路１８とが接続され、管路１９と管路２０とが接続される態様とし、ドレン排水切替弁３９を介して往管１６ａ，１６ｂ同士が接続される態様とする（以下、この通水経路を追い焚き循環路通水経路ともいう）。
【００３４】
そして、湯張りが開始されると、浴槽１４の水位が水位センサ２５によって検出され、この検出水位が予め設定された浴槽の設定水位に達したときに、注湯水・追い焚き制御手段４２が注湯電磁弁２９を閉じて湯張り動作が終了する。この湯張りの動作においては、注湯水・追い焚き制御手段４２は、予め設定された湯張りの設定温度となるように、バーナ１の燃焼制御を行い、給湯熱交換器４，６の給湯湯温を制御する。
【００３５】
なお、注湯路２７に流量を検出する流量センサ（フローセンサ）を設け、前記流量センサによって検出された流量が設定流量（予め定められる浴槽１４への注湯量）に達したときに、注湯水・追い焚き制御手段４２が注湯電磁弁２９を閉じて湯張り動作が終了するようにしてもよい。また、湯張りの途中に追焚きを入れて浴槽湯水に投入する熱量と浴槽湯温の上昇程度から浴槽湯量を演算するタイプのものにおいて、その演算結果から求められる浴槽湯量と、設定流量（設定湯量）との差を求め、その差分をさらに湯張りして浴槽湯量が設定流量（設定湯量）に達したときに、前記の如く、湯張り作業が終了するようにしてもよい。
【００３６】
また、通常は、湯張り動作に引き続き、所定の時間（例えば４時間）にわたって保温機能の動作が行なわれる。この保温機能の動作中、注湯水・追い焚き制御手段４２は所定の時間間隔で、循環ポンプ２３を短時間起動し、浴槽１４の湯を、図６の矢印に示すように、追い焚き循環路１５を通して循環する（図６の斜線領域、参照）。そして、この際、風呂温度センサ（図示せず）により浴槽１４の湯温（風呂温度）を検出し、該検出温度が風呂の設定温度よりも許容範囲を外れて低下したときには、循環ポンプ２３を駆動して浴槽１４の湯水を追い焚き循環路１５を通して循環しながら、追い焚き側のバーナ７の燃焼により追い焚き熱交換器１３で加熱し、追い焚き動作を行う。そして、前記風呂温度センサの検出温度が風呂の設定温度に達したときに循環ポンプ２３を停止し、追い焚き側のバーナ７の燃焼を停止する。
【００３７】
また、保温機能と共に行う保水機能の動作においては、注湯水・追い焚き制御手段４２は、以下のような制御を行う。つまり、水位センサ２５によって浴槽１４の水位を監視し、浴槽１４の水位が設定水位から許容範囲を越えて低下したときには、注湯電磁弁２９を開けて、前記湯張り動作時と同様に、給湯回路側から設定水位に達する不足分の湯量を補充し（足し湯動作を行い）、浴槽水位を設定水位に維持する保水機能の動作を行う。
【００３８】
また、浴槽湯水の温度を下げる操作が、リモコン装置５０操作によって行われたとき（例えばリモコン装置５０の「ぬるゆ」スイッチが操作されたとき）には、注湯水・追い焚き制御手段４２は、注湯電磁弁２９を開けて、給湯回路側から加熱されていない水を例えば予め定められた設定量だけ浴槽１４に注水する足し水機能の動作を制御する。
【００３９】
さらに、リモコン装置５０に設けられている追い焚きスイッチが手動により操作されたときにも、その指令が注湯水・追い焚き制御手段４２に加えられ、注湯水・追い焚き制御手段４２は、前記自動湯張り動作時の追い焚き動作と同様に制御を行う。この制御によって、追い焚き単独動作が行われる。注湯水・追い焚き制御手段４２は、これら浴槽１４への湯張り、足し湯、足し水、浴槽湯水の追い焚きの動作が行われたときに、その終了信号を通水動作判断手段４７に加える。
【００４０】
通水動作判断手段４７は、追い焚き循環路１５を通して浴槽湯水を循環させる湯水循環動作と、追い焚き循環路１５を通して湯水を浴槽１４に注水する注水動作の少なくとも一方の追い焚き循環路通水動作が行われたか否かを判断するものである。通水動作判断手段４７は、注湯水・追い焚き制御手段４２の制御によって、湯張り、足し湯、足し水、追い焚き単独のいずれかの動作が行われたときに、その動作制御の終了信号を受けて前記追い焚き循環路通水動作が行われたと判断し、その判断信号をドレン排水洗浄制御手段４１に加える。
【００４１】
ドレン排水洗浄制御手段４１は、例えばドレンタンク水位検出電極３４の検出信号を受けて、予め定められたドレン排水動作開始条件に達したときに、ドレンタンク３２に貯留されたドレンの排水機能の動作を行う。なお、本実施例において、ドレンタンク水位検出電極３４は、例えば図３に示すように、４本の電極を有して構成されており、４本の電極のうち、図の右側に配置された長さが最も長い２本の電極がアース電極ａと排水停止の基準となる基準水位電極（ＬＬ電極）ｂ、その左側に配置されて長さが２番目に長い電極が低水位電極（Ｌ電極）ｃ、その左側に配置されて長さが最も短い電極が高水位電極（Ｈ電極）ｄである。
【００４２】
ドレン排水洗浄制御手段４１は、ドレンタンク水位検出電極３４の検出信号を受け、ドレンタンク３２内のドレンが予め定められるドレン排水設定水位以上のときに、つまり、少なくとも低水位電極ｃによりドレン水位が検出されているときに、ドレンタンク３２に貯留されたドレンの排水機能の動作を行う。例えば、低水位電極ｃによってドレン水位が検出され、高水位電極ｄで水位を検出されないとき（水位が電極ｃと電極ｄ間にある場合）には、それに加えて、例えば前記自動湯張り動作が開始されたときに、ドレン排水機能の動作を行うようにし、低水位電極ｃおよび高水位電極ｄによってドレン水位が検出されたとき（水位が電極ｃを越え、さらに電極ｄを越える場合）には、即座にドレン排水機能の動作を行うようにする。
【００４３】
なお、風呂給湯装置において、電源４３がオンされる場合は、風呂給湯装置の電源コードが最初にコンセントに差し込まれたときと、コンセントから抜かれた場合や停電等によってＡＣ１００Ｖが遮断された後の再通電の場合と、ＡＣ１００Ｖが遮断されずに、リモコン装置５０の運転オフ操作が行われた後の運転オン操作の場合がある。このリモコン装置５０の運転オフ操作が行われた後の運転オン操作の場合とは、例えば、ドレン排水機能やドレン洗浄機能の動作の途中で故障が生じて動作が停止してしまったときに出力されたエラー信号が解除された場合である。本実施例では、ドレン排水洗浄制御手段４１は、ＡＣ１００Ｖ遮断後の再通電時、あるいは、リモコン装置５０の運転オフ操作が行われた後の運転オン操作が行われてからドレン排水機能の動作を開始するまでの間に、通水動作判断手段４７から、追い焚き循環路通水動作が行われたかどうかの判断信号が加えられたかどうかを確認する。
【００４４】
そして、ＡＣ１００Ｖが遮断された後の再通電の場合（停電等によって、例えば通水動作判断手段４７内の追い焚き循環路通水動作が行われたかどうかの判断信号が加えれたか否かが失われている場合や、例えばドレン排水機能やドレン洗浄機能の動作の途中で故障が生じて動作が停止してしまったときに出力されたエラー信号が失われている場合）や、ＡＣ１００Ｖが遮断されずに、リモコン装置５０の運転オフ操作が行われた後の運転オン操作の場合（例えば、ドレン排水機能やドレン洗浄機能の動作の途中で故障が生じて動作が停止してしまったときに出力されたエラー信号が解除された場合）に、追い焚き循環路通水動作が行われたという判断信号が、通水動作判断手段４７からドレン排水洗浄制御手段４１に加えられていなかったときには、前記追い焚き循環路通水経路（図５、参照）を通し、給湯側回路側から注湯路２７を介して追い焚き循環路１５に水を通す呼水動作によって、循環ポンプ２３内に水を入れてからドレン排水機能の動作を行う。
【００４５】
例えば、一度、ＡＣ１００Ｖの通電停止を経た後の通電再開時（風呂給湯装置の電源コードをコンセントに差し込んだときや、停電からの復帰時の電源４３のオン信号がドレン排水洗浄制御手段４１に加えられたとき）においては、例えば風呂給湯装置の取り付けにあたって行われた燃焼試験時に発生したドレンの排水途中で電源が止められてしまい（つまり、配管にドレンがある状態のまま）、かつ、循環ポンプ２３内の水が凍結防止のために排水された場合がある。そこで、この場合には、注湯水・追い焚き制御手段４２によって、追い焚き循環路１５を通して浴槽湯水を循環させる湯水循環動作と、追い焚き循環路１５を通して湯水を浴槽１４に注水する注水動作の少なくとも一方の追い焚き循環路通水動作が行われるときに、ドレン排水洗浄制御手段４１は、その動作開始信号を受けて、その動作開始直前に、先ず、呼水動作によって、循環ポンプ２３内に水を入れる必要があり、この呼水動作後にドレン排水機能の動作を行うようにしている。
【００４６】
一方、ＡＣ１００Ｖが遮断されずに、リモコン装置５０の運転オフ操作が行われた後の運転オン操作の場合に、その電源４３のオンからドレン排水機能の動作を開始するまでの間に、前記追い焚き循環路通水動作が行われたという判断信号が、通水動作判断手段４７からドレン排水洗浄制御手段４１に加えられていたときには、呼水動作は行わなくてもよい。
【００４７】
このようにすることで、本実施例では、たとえマンションの施工から引き渡しに至る間や、寒冷地で凍結の可能性がある場合等に、循環ポンプ２３の水抜きをして風呂給湯装置の電源４３をオフにした状態とし、その状態のときに前記ドレン排水動作開始条件に達したとしても、循環ポンプ２３に水を入れてから支障なくドレン排水機能の動作を行える。なお、前記追い焚き循環路通水動作が行われたという判断信号が、通水動作判断手段４７からドレン排水洗浄制御手段４１に加えられていたときには、呼水動作は行わなくてもよい。
【００４８】
そして、ドレン排水洗浄制御手段４１は、図３に示すようなドレン排水経路によってドレンタンク３２内のドレンを排水する。なお、図３の斜線部分には、ドレン排水機能の動作時にドレンが通る領域が示されており、その斜線部分の流れを示す矢印によりドレンの流れが示されている。また、図３において、矢印Ｄは、潜熱回収用給湯熱交換器４で発生したドレンがドレンタンク３２の下側まで達し、ドレン導出路３８に導出されるまでの流れを示す。ドレン排水機能の動作を行う際、ドレン排水洗浄制御手段４１は、四方切替弁２２、ドレン排水切替弁３９、ドレン回路切替弁３０を、いずれも、図５に示した湯張り運転時の位置から切り替えることによりドレン排水経路として、ドレンを追い焚き循環路１５を介して浴室に排出する。
【００４９】
具体的には、まず、ドレン排水洗浄制御手段４１は、四方切替弁２２を介して管路２０と管路２８とが接続されるように、四方切替弁２２を切り替える。この切り替えにより、管路１８，１９と戻り管１７とは循環ポンプ２３から切り離される。次に、ドレン排水洗浄制御手段４１はドレン排水切替弁３９を切り替え、ドレン排水切替弁３９を介して往管１６ａとドレン排水路３８とが接続されるようにする。次に、ドレン排水洗浄制御手段４１はドレン回路切替弁３０を切り替え、ドレン回路切替弁３０を介してドレン導出路３６と管路２８とが接続されるようにする。この状態で循環ポンプ２３を駆動し、ドレンを、ドレン導出路３６、管路２８、追い焚き循環路１５の管路２１、追い焚き熱交換器１３、往管１６ａに順に通し、ドレン排水路３８を介して浴室に排出する。そして、ドレンタンク水位検出電極３４の基準水位電極ｂによりドレン水位が検出されなくなったところで、ドレン排水機能の動作を終了（停止）する。
【００５０】
また、ドレン排水洗浄制御手段４１は、ドレン排水機能によるドレン排水後にドレン洗浄機能の動作を行う。このドレン洗浄機能の動作は、図４の斜線部分に示す経路によって行われるものであり、ドレン回路切替弁３０を切り替え、ドレン回路切替弁３０を介して注湯路２７と管路２８とが接続されるようにして、ドレン洗浄経路とする。その状態で注湯電磁弁２９を開き、給湯側回路側から注湯路２７を介して追い焚き循環路１５に通される水によって追い焚き循環路１５のうちのドレンの通水路を洗浄する。
【００５１】
ドレン洗浄水選択手段４６は、ドレン排水洗浄制御手段４１の制御によって行うドレン洗浄機能の動作時に、追い焚き循環路１５に通す水を加熱した水にするか加熱しない水にするかを選択する手段である。ドレン洗浄水選択手段４６は、前記残水有無判断手段４５によって自動湯張り動作の開始時に浴槽１４内に残水がないと判断されたときに、ドレン排水洗浄制御手段４１によってドレン排水機能の動作が行われたときには、ドレン排水洗浄制御手段４１に水洗浄の指令を加え、ドレン排水機能によるドレン排水後に、ドレン排水洗浄制御手段４１が追い焚き循環路１５に加熱されていない水を通してドレン洗浄機能の動作を行うようにする。
【００５２】
一方、残水有無判断手段４５によって、自動湯張り動作の開始時に浴槽１４内に残水があると判断されたときと、自動湯張り動作の開始時以外のタイミングでドレン排水洗浄制御手段４１がドレン排水機能の動作を行ったときには、ドレン排水洗浄制御手段４１に湯洗浄の指令を加え、該ドレン排水機能によるドレン排水後に、ドレン排水洗浄制御手段４１が給湯側回路で加熱された水を追い焚き循環路１５に通してドレン洗浄機能の動作を行うようにする。なお、このように、ドレン排水洗浄制御手段４１が加熱された水を追い焚き循環路１５に通すときには、例えば注湯水・追い焚き制御手段４２に指令を加え、給湯側回路で（例えば風呂設定温度に）水を加熱して、その加熱された水をドレン洗浄に用いるようにする。
【００５３】
以下、この点について詳述する。通常、日常的なドレン排水機能と、それに続くドレン洗浄機能動作は、前記の如く、低水位電極ｃによってドレン水位が検出され、かつ、残水なしで（浴槽の残り湯が無い場合で）自動湯張り動作が開始されたときに行われるので、このときのドレン洗浄機能の動作時には、加熱しない水を用いることで、水を加熱するための熱エネルギーの無駄を省くことができる。また、この場合、自動湯張り動作が開始される前に加熱しない水を用いて洗浄するが、直後に自動湯張り動作が開始されるので、風呂の設定温度で加熱した水で給湯側回路の配管内が満たされる。
【００５４】
その一方で、万が一、低水位電極ｃおよび高水位電極ｄによってドレン水位が検出されたとき（すなわち、異常に給湯使用量が多い場合）や、前回のドレン排水機能のドレン排出動作の終了時から予め定められるドレン排水用設定時間（例えば７２時間）経過したとき、例えば、長期不在時には、ドレン洗浄機能の動作時に風呂の設定温度に加熱した水を用いることにより、給湯側回路の配管内を湯で満たし、万が一、直後にシャワーを浴びても湯が出やすい状況としている。
【００５５】
なお、このように、ドレン洗浄機能の動作時に風呂の設定温度に加熱した水を用い、給湯側回路の配管内を湯で満たすのには、以下の理由がある。すなわち、例えば利用者が給湯温度（給湯設定温度）を６０℃に設定し、その湯を給湯栓から出湯させる場合は、利用者が意図しての出湯使用であるので、配管内が６０℃の湯で満たされていることを利用者が認識可能である。しかし、ドレン排水機能、ドレン洗浄機能動作は利用者が意図しての使用でない（例えばリモコン装置５０の操作ボタンを押したりする操作により、利用者がこれらの動作を行わせたいタイミングで行うものではない）ので、その動作タイミングを利用者が認識不可能である。
【００５６】
したがって、給湯設定温度が６０℃といった高温に設定されていた状態で、ドレン洗浄機能の動作時に給湯設定温度に加熱した水が用いられ、その給湯設定温度の湯で配管内が満たされると、夏場等にリモコン装置５０の運転をオフして冷水シャワーを利用しようとしたとき等に、高温の湯がシャワーから出湯されて危険が伴う場合がある。そこで、前記の如く、加熱した水でドレン洗浄機能の動作を行う場合には、入浴に快適な温度（全身が直接接しても快適な温度であるので、シャワー等肌に直接接しても快適と思われる温度）として設定してある風呂の設定温度に水を加熱してドレン洗浄機能の動作を行い、その風呂設定温度に加熱した湯で給湯側回路の配管内を満たすことで、直後にシャワーを浴びても快適と思われる温度の湯が出やすい状況としている。
【００５７】
流量可変制御手段４４は、追い焚き循環路１５を通して湯水を浴槽１４に注水する注水動作時に追い焚き循環路１５に通す水の流量（例えば２４リットル／分）よりも、ドレン洗浄機能の動作時に追い焚き循環路１５に通す水の流量を小さい流量に変える手段である。具体的には、流量可変制御手段４４は、ドレン排水洗浄制御手段４１によってドレン洗浄機能の動作を行う際に流量制御の指令を加え、ドレン排水洗浄制御手段４１に水量制御弁５６を制御させ、ドレン排水洗浄制御手段４１によるドレン洗浄機能の動作時に追い焚き循環路１５に通水する水の流量が例えば９リットル／分となるようにする。ドレン排水洗浄制御手段４１は、この流量で例えば合計６リットルの水を注水する。本実施例では、このようにドレン洗浄機能の動作時の通水流量を小さくすることで、ドレン洗浄時に流れる水の音（排水音）を小さくできる。
【００５８】
また、本実施例において、注水動作時に追い焚き循環路１５に水を通す際には、往管１６と戻り管１７の両側から注水を行うが、追い焚き循環路１５を通してドレン洗浄を行う際には、追い焚き循環路１５のうち往管１６側のみを用いて通水を行い、戻り管１７側には通水を行わない片側通水である。そのため、往管１６と戻り管１７の両方を通して浴槽１４に落とし込む注水動作時と同じ流量の水を往管１６側にのみ通水してドレン洗浄を行うと、その水が通るときの水圧が前記注水動作時よりも高くなる。そして、高い水圧が循環ポンプ２３に加えられると、例えば樹脂製循環ポンプ２３等が水圧に耐えられない等、悪影響が及ぶおそれがあるが、前記のようにドレン洗浄機能の動作時の通水流量を注水動作時の流量よりも小さくすることによって、追い焚き循環路１５を通る水の水圧を小さくでき、循環ポンプ２３に過大な圧力がかかることを防ぐことができる。なお、前記ドレン排水機能の動作時にドレンを排水する流量はポンプにより加圧しているので、ドレン洗浄機能の動作時に流す水の流量と同様に小さい。
【００５９】
ドレン排水洗浄制御手段４１は、ドレン洗浄機能の動作終了後に、ドレン排水切替弁３９を切り替え、図５に示したように、ドレン排水切替弁３９を介して往管１６ａ，１６ｂ同士が接続されるようにし、四方切替弁２２を切り替え、四方切替弁２２を介して、管路２８と管路１８とが接続され、管路１９と管路２０とが接続される態様（追い焚き循環路通水経路）とする。
【００６０】
なお、ドレン排水機能の途中で動作が停止した場合には、追い焚き循環路通水動作が開始された時に、その動作開始に先立ち、ドレン排水機能の動作とそれに続いての前記ドレン洗浄機能の動作を行うようにしてもよい。ドレン洗浄機能の途中で動作が停止した場合には、追い焚き循環路通水動作が開始された時に、その動作開始に先立ちドレン洗浄機能の動作を行うようにしてもよい。
【００６１】
また、ドレン排水洗浄制御手段４１によるドレン排水機能の動作時やドレン洗浄機能の動作時に、その動作中であることを記憶する記憶部を制御装置４０（制御装置の基板）に設けてもよい。そして、この記憶部に記憶された情報に基づき、ドレン排水機能の動作の途中で故障が生じて動作が停止してしまったとき（このドレン排水機能動作途中の記憶があるとき）には、その故障による停止時に出力されたエラー信号が解除されたときに、あるいは、その後の追い焚き循環路通水動作開始時に、ドレン排水機能の動作とそれに続いての前記ドレン洗浄機能の動作を行うようにし、ドレン洗浄機能の動作の途中で故障が生じて動作が停止してしまった前記記憶があるときには、その故障による停止時に出力されたエラー信号が解除されたときに、あるいは、その後の追い焚き循環路通水動作開始直前に、呼水動作を兼ねた前記ドレン洗浄機能の動作を行うようにしてもよい。
【００６２】
なお、本発明は、前記実施例に限定されるものでなく、適宜設定されるものである。例えば、本発明は、図１に示した制御構成のうち、少なくともドレン排水洗浄制御手段４１と、残水有無判断手段４５、ドレン洗浄水選択制御手段４６を有して、ドレン排水機能の動作タイミングに応じて、ドレン洗浄機能の動作時に通水する水を加熱した水にするか加熱していない水にするかを選択制御できるようにすればよく、流量可変制御手段４４、通水動作判断手段４７は省略することもできる。
【００６３】
また、前記実施例では、ドレン排水洗浄制御手段４１は、ドレンタンク水位検出電極３４の検出信号に基づいて、ドレン排水機能の動作を開始するようにしたが、ドレン排水洗浄制御手段４１は、前回のドレン排水機能のドレン排出動作の終了時から予め定められるドレン排水用設定時間（例えば７２時間）経過したときに、ドレン排水機能のドレン排出動作を行うようにしてもよいし、このようにドレン排水用設定時間が経過する毎にドレン排水機能の動作を行う機能と、ドレンタンク水位検出電極３４の検出信号に基づいてドレン排水機能の動作を開始する機能の両方を設けてもよい。
【００６４】
さらに、ドレン排水機能のドレン排出動作時に、追い焚き循環路１５に通されるドレンを追い焚き熱交換器１３によって例えば６０℃以上に加熱して熱殺菌を行いながらドレンを排水するようにしてもよい。また、通常、ドレン排水路３８の出口側（浴室の排水口側）には、排水トラップが設けられるが、この排水トラップ内に、ドレン洗浄機能の動作時に流れ込んだ水が溜まったままであると、細菌が繁殖する可能性がある。そこで、ドレン排水洗浄制御手段４１は、ドレン洗浄機能の動作を行った後に、さらに、予め定められる設定水量の水を、追い焚き循環路１５のうちのドレンの通水路に通す追加通水を行うことによって、前記ドレン洗浄機能の動作時に前記排水トラップ内に流れこんだ水を前記追加通水の水で入れ替える構成としてもよい。
【００６５】
なお、例えば、ドレン洗浄を行う配管（往管１６側のみ）は、例えば架橋ポリエチレン管１０Ａ（内径９．８ｍｍ）を用いて形成され、その長さは例えば最長２５ｍなので、その容量は１．８８＋α（０．４９×０．４９×π×２５００÷１０００＝１．８８であり、αは器具内水管の容量等）リットルである。そこで、追い焚き循環路１５のうちのドレンの通水路の洗浄ということのみを考えると、１．８８＋αリットルの水の注水を行えば十分であるが、以下の理由により、往管１６側の容量（１．８８＋αリットル）よりも４リットル程多い６リットルの注水を行うようにしている。
【００６６】
つまり、ドレンタンク３２内で雑菌が繁殖する可能性があるので、ドレン排水路３８（例えば架橋ポリエチレン管７Ａ（内径７mm）最長２．５ｍの管路であり、その容量は例えば０．１リットル）の置換（洗浄）を行い、また、排水先である浴室の排水トラップの容量は例えば０．５リットル（例えば逆ワン排水トラップ本体喫水面部内径１１３ｍｍ下端内径１０７ｍｍ平均内径１１０ｍｍ、排水トラップ中の配水管外径５５ｍｍ、封水深（配水管上端からワンの下端）５０ｍｍ、ワンの下端から排水トラップ下端間距離２０ｍｍの場合の内容量は｛π（１１０／２）２−π（１１０／２）２｝×（５０＋２０）＝約０．５リットル）であるので、この排水トラップ内の通水によるほぼ全換水（例えばトラップ容量の８倍の４リットル通水で例えば換水率約９９．９％以上となる）までできるように、合計６リットルの水を注水する。なお、排水トラップには上記逆ワン排水トラップ以外にも合流トラップ等が知られているが、内部の容量自体にあまり差異がない。従って、トラップ形式が変わっても、前記流量で浴室にあるトラップ内の換水はできるものと考えられる。
【００６７】
さらに、前記４リットルの通水は次のような役目をも合わせもつ。すなわち、前記１．８８＋αリットルの水の注水のみで置換は十分であるが、例えば取り付けにあたって給湯動作等を行って正常な動作が行われることを確認する竣工検査から、入居後のドレン洗浄までに期間を要する場合がる。このような場合には、置換のみでは洗浄できないこびり付きが生じる場合がある。特に本願潜熱回収用給湯熱交換器６は排気出口に近いがゆえに、排気出口より、周囲のホコリ、土埃、粉塵等が入ってくることがあり、このような入り込みがあると、こびり付きはいっそう強くなる。４リットル通水の役目は、前記ホルムアルデヒドを含むこびり付き解消に十分な量として設定されている。
【００６８】
さらに、風呂給湯装置のシステム構成の詳細は、特に限定されるものでなく、例えば、保温機能や保水機能、ぬる湯機能、追い焚き機能は備えていない装置としてもよいし、暖房機能や、太陽熱の集熱機能等の他の機能を備えていてもよい。
【００６９】
さらに、風呂給湯装置の電源コードをコンセントに差し込んだときや停電からの復帰時の電源４３のオン信号がドレン排水洗浄制御手段４１に加えられた時に、速やかにドレン排水洗浄制御手段４１は切替弁等を制御してドレン洗浄経路を形成し、注湯水・追い焚き制御手段４２による追い焚き循環路通水動作開始時までドレン洗浄経路形成状態で待機するようにしてもよい。このようにすると、ドレンが浴槽１４に出てしまう可能性をなくせるし、速やかに追い焚き循環路通水動作に先立つ呼水動作を行うことができる。
【００７０】
また、ドレン排水用設定時間経過に達する直前に給湯の使用があった場合（例えば７２時間というようなドレン排水用設定時間に達する例えば８分前のような所定時間前から、ドレン排水用設定時間に達する間、すなわち例えば７２時間の８分前から７２時間に達する間、に給湯使用があった場合）には、給湯使用終了から例えば８分というような所定時間経過までの間、前記ドレン排水動作の強制作動を遅延させてもよい（排水と、それに続く洗浄の両方を遅延）。また、ドレン排水機能の動作は前記ドレン排水用設定時間経過で行うが、このドレン排水機能の動作に続くドレン洗浄機能の動作は、給湯使用終了から例えば８分というような所定時間経過までの間、遅延させてもよい（洗浄のみ遅延）。さらに、ドレン排水機能の動作とそれに続くドレン洗浄機能の動作の両方を、遅延させずに行うが、ドレン洗浄機能の動作時に用いるドレン洗浄水の温度を前記風呂設定温度ではなく、リモコン装置５０に設定された給湯設定温度としてもよい（ドレン排水用設定時間経過で排水と、それに続く洗浄は遅延なく行うが、洗浄は給湯設定温度）。これらのいずれかの動作を行うことにより、給湯使用終了から例えば８分というような所定時間経過時に、ドレン排水用設定時間となっても、給湯使用時には給湯設定温度で速やかに出湯ができる。
【００７１】
さらに、本発明の風呂給湯装置は、例えば前記実施例で設けたガス燃焼を行うバーナの代わりに、石油燃焼用のバーナを設けてもよい。
【産業上の利用可能性】
【００７２】
本発明の風呂給湯装置は、追い焚き循環路を通してのドレン排水後のドレン洗浄機能の動作時や、洗浄動作後のシャワー利用時に、利用者に不快感を与えないようにでき、かつ、熱エネルギーの無駄も少なくできるので、例えば家庭用の風呂給湯装置として利用できる。
【符号の説明】
【００７３】
１                      バーナ
６                      潜熱回収用給湯熱交換器
１５                    追い焚き循環路
１６，１６ａ，１６ｂ    往管
１７                    戻り管
１８，１９，２０，２１  管路
２２                    四方切替弁
２３                    循環ポンプ
２７                    注湯路
２８                    管路
２９                    注湯電磁弁
３０                    ドレン回路切替弁
３４                    ドレンタンク水位検出電極
３９                    ドレン排水切替弁
４０                    制御装置
４１                    ドレン排水洗浄制御手段
４２                    注湯水・追い焚き制御手段
４３                    電源
４４                    流量可変制御手段
４５                    残水有無判断手段
４６                    ドレン洗浄水選択制御手段
４７                    通水動作判断手段
５０                    リモコン装置
【図１】
0005566241.tif 000002
【図２】
0005566241.tif 000003
【図３】
0005566241.tif 000004
【図４】
0005566241.tif 000005
【図５】
0005566241.tif 000006
【図６】
0005566241.tif 000007